Podtech/llm-jp-corpus-v4-ja_patent huggingface dataset:
(57)【要約】【課題】  本考案は乳がん患者さんの放射線治療中、放射線治療後の腫れや熱を引く為、既存の保冷剤をバスト用パット形にし、大きめのブラジャーの中に入れ固定させ患部を保冷し、乳がん患者さんの専用保冷剤である。【解決手段】本考案は既存の保冷剤の外装素材・内容物を使用し、従来の長方形からバスト用パット形に変更することにより、乳がん患者さん放射線治療中、後のケアとして役立つ。【選択図】図１
0003126907.tif 000002
【実用新案登録請求の範囲】
【請求項１】
既存の保冷剤は長方形で平らである。乳がん手術後、放射線治療中、後、患部の腫れや熱を冷やす為、保冷剤の形を左右関係なくデザインしたバスト用パット形にし、片方でもブラジャーの中に納められ保冷効果が得られる。を特徴とする保冷剤クールパット
【考案の詳細な説明】
【技術分野】
【０００１】  本考案は、乳がん手術後、放射線治療中、放射線治療後、腫れや熱を冷やす為のバスト用保冷剤である。
【背景技術】
【０００２】  既存の保冷剤は長方形で、特に頭を冷やすのは大きく厚みと重みがあり、とブラジャーに収まらず、ずれ落ちる。小さくてもパット形ではない為、乳房が押され圧迫感とすれによる痛みを伴い、保冷を必要とする片方の乳にフィット感と位置安定に欠け患部を冷やす効果が得られない。
【考案の開示】
【考案が解決しようとする課題】
【０００３】  保冷剤の外装素材・中身は問題が無いが形をバスト用のパット形にし、ブラジャーの中に収め、ずれ落ちる事なくまた患部のすれや圧迫感を無くし保冷効果を得る為に解決しようとするものである。
【課題を解決するための手段】
【０００４】  パット形保冷剤の型を決めなければならない。左右関係なく使えるようデザインし大きさ・重さ・厚み・フィット感・安定感・快適さを考慮し、外装素材・内容物は既存のものを使用。従来の長方形のみでなく新たにパット形保冷剤を加えることにより、乳がん患者さん専用保冷剤がないとゆう現状を解決しようとするものである。
【考案の効果】
【０００５】  上述の様に、本考案のパット形保冷剤があれば乳がん患者さんの手術後・放射線治療中放射線治療後の赤く腫れや痛みを早く抑えることが出来、患者さんの痛みや辛さを軽くするのに役立つ。
【考案を実施するための最良の形態】
【０００６】  外装素材はナイロン・ポリエチレンでやわらかく、無機系抗菌剤を使用し、内容物は高吸水性ポリマーを使用、既存の保冷剤と同じである。従来の長方形のみでなく新たにパット形保冷剤を作る。使用方法は既存の保冷剤と同じ約８時間冷凍庫に入れ使用時は胸の患部にあてがい大きめのブラジャーで保冷剤を固定する。乳がん患者さんの患部をやさしく保冷が出来るとゆう利点があり。乳がん患者さんが増えている実態で医療だけでなく自分から早く良くなりたいと誰もが願う事のひとつに違いない。
【実施例１】
【０００７】  以下、添付図面に従って一実施例を説明する。
１．は外装素材ナイロン／ポリエチレン  無機系抗菌剤使用  保冷効力約８〜１０時間内容物／高吸水性ポリマー  内容量  約２００ｇ
【図面の簡単な説明】
【０００８】
【図１】本考案のバスト用パット型保冷剤の一実施例を示す正面図である。
【図２】本パット型保冷剤の断面図である。
【図３】本パット型保冷剤を使用するには前あきブラジャーの中に入れて固定するための参考図である。
【符号の説明】
【０００９】１  パット保冷剤本体
２  内容物ポリマー
【図１】
0003126907.tif 000003
【図２】
0003126907.tif 000004
【図３】
0003126907.tif 000005
【手続補正書】
【提出日】平成18年7月5日(2006.7.5)
【手続補正１】
【補正対象書類名】実用新案登録請求の範囲
【補正対象項目名】全文
【補正方法】変更
【補正の内容】
【実用新案登録請求の範囲】
【請求項１】
乳がん手術後において患部の腫れや発熱を冷やす為、保冷剤を充填しバスト用パッド形にしたパッケージを特徴とするバスト用保冷剤クールパッド。
【手続補正２】
【補正対象書類名】明細書
【補正対象項目名】全文
【補正方法】変更
【補正の内容】
【考案の詳細な説明】
【技術分野】
【０００１】  本考案は、乳がん手術後の放射線治療による腫れや発熱を冷やす為のバスト用保冷剤クールパッド。
【背景技術】
【０００２】  既存の保冷剤ではブラジャーに重みと厚みで収まらず、乳房が押され圧迫感と擦れによる痛みを伴い、乳にフィット感と位置安定に欠け患部を冷やす効果が得られない。
【考案の開示】
【考案が解決しようとする課題】
【０００３】  保冷剤の外装素材と内容物は既存の物と同じであるが、形をバスト用パット形にし、ブラジャーの中に収めてずれ落ちる事なく、患部の擦れや圧迫感をなくし保冷効果を高める為のものである。
【課題を解決するための手段】
【０００４】  ブラジャーに収めるための保冷剤クールパッド形の大きさ・厚み・フィット感・安定感・快適さを考慮し、乳がん患者専用の保冷剤がない現状を解決しようとするものである。
【考案の効果】
【０００５】  上述の様に、本考案の保冷剤クールパッドがあれば乳がん患者の手術後・放射線治療に伴う腫れや痛みや辛さを軽くするのに役立つ。
【考案を実施するための最良の形態】
【０００６】  外装素材と内容物は既存の保冷剤と同じ物を使用、パーケージをバスト用パッド形にして保冷剤を入れ、ブラジャーの中に収めるものである。
【実施例１】
【０００７】  以下、図面に従って一実施の形態を説明する。
外装素材ナイロン／ポリエチレン  無機抗菌剤使用  保冷効力約８〜１０時間
内容物／高吸水性ポリマー  内容量  約２００ｇ
【図面の簡単な説明】
【０００８】
【図１】正面図
【図２】断面図
【手続補正３】
【補正対象書類名】図面
【補正対象項目名】全図
【補正方法】変更
【補正の内容】
【図１】
0003126907.tif 000006
【図２】
0003126907.tif 000007
(57)【要約】【課題】冷水と温水を別々のつまみで開閉、水量調整、湯温調整するタイプの蛇口において二つのつまみをそれぞれ左右に廻して、水量、湯温の調整をしなければならないイライラ、わずらわしさの解決既存の設備をそのまま利用して、安価にイライラ、わずらわしさの解決を行う【解決手段】湯量調整つまみと水量調整つまみのリンク、解除、選択を可能にしたム現代リンクカプセルを既存の設備にハメコム【選択図】図１
0003126903.tif 000002
【実用新案登録請求の範囲】
【請求項１】
お湯側のつまみの開閉量で温度を自動的に調整する
【請求項２】
お湯側のつまみの開閉量で湯量を自動的に調整する
【請求項３】
既存の水道、温水器等のネジ調整によるつまみの温度調整、湯量調整に使用する
【考案の詳細な説明】
【技術分野】
【０００１】新製品開発技術
【背景技術】
【０００２】システム工学＋機械設計技術
【考案の開示】
【考案が解決しようとする課題】
【０００３】冷水と温水の水量調整による温度調節のわずらわしさ
冷水と温水の水量調整による湯量調節のイライラ
既存の設備を利用して温度、湯量の調節を簡単に行う
【課題を解決するための手段】
【０００４】ム現代リンクカプセルを既存の設備に取付ける
湯量調節摘まみと水量調節摘まみをリンクする
湯量調節と水量調節のリンクシステムのドッキング
温度調節リンクシステムの組込み
湯量調節リンクシステムの組込み
温度調節リンク解除システムの組込み
湯量調節リンク解除システムの組込み
湯量調節と水量調節のリンク解除システムのドッキング
湯量調節摘まみと水量調節摘まみのリンク、解除、選択を可能にする
【図１】
0003126903.tif 000003
【図２】
0003126903.tif 000004
【手続補正書】
【提出日】平成18年4月16日(2006.4.16)
【手続補正１】
【補正対象書類名】実用新案登録請求の範囲
【補正対象項目名】全文
【補正方法】変更
【補正の内容】
【実用新案登録請求の範囲】
【請求項１】
お湯側のつまみの開閉量で温度を自動的に調整する
【請求項２】
お湯側のつまみの開閉量で湯量を自動的に調整する
【請求項３】
既存の水道、温水器等のネジ調整によるつまみの温度調整、湯量調整に使用する
【手続補正２】
【補正対象書類名】明細書
【補正対象項目名】全文
【補正方法】変更
【補正の内容】
【考案の詳細な説明】
【技術分野】
【０００１】新製品開発技術
【背景技術】
【０００２】システム工学＋機械設計技術
【考案の開示】
【考案が解決しようとする課題】
【０００３】冷水と温水の水量調整による温度調節のわずらわしさ
冷水と温水の水量調整による湯量調節のイライラ
既存の設備を利用して温度、湯量の調節を簡単に行う
【課題を解決するための手段】
【０００４】ム現代リンクカプセルを既存の設備に取付ける
湯量調節摘まみと水量調節摘まみをリンクする
湯量調節と水量調節のリンクシステムのドッキング
温度調節リンクシステムの組込み
湯量調節リンクシステムの組込み
温度調節リンク解除システムの組込み
湯量調節リンク解除システムの組込み
湯量調節と水量調節のリンク解除システムのドッキング
湯量調節摘まみと水量調節摘まみのリンク、解除、選択を可能にする
【図面の簡単な説明】
【０００５】
【図１】  ［上面図］  湯量調節リンクロック解除つまみ：締め付けると温度調節用のリンクのみが有効となり湯量はロックされた状態となる  温度調節リンクロック解除つまみ：締め付けると湯量調節用のリンクのみが有効となり温度はロックされた状態となる  温水側のつまみの矢印と冷水側のつまみの矢印の方向は、湯量調節つまみを締め付けてロックし温度調節用のリンクのみが有効な状態  ［側面図］  リンクロックつまみを締め付ける事により、湯量調節、温度調節それぞれがリンクされる  リンクロックつまみを緩める事により、湯量調節、温度調節それぞれがリンク解除される
【手続補正書】
【提出日】平成18年6月17日(2006.6.17)
【手続補正１】
【補正対象書類名】実用新案登録請求の範囲
【補正対象項目名】全文
【補正方法】変更
【補正の内容】
【実用新案登録請求の範囲】
【請求項１】
0003126903.tif 000005
湯音、湯量が簡単に調節できる  ム現代リンクカプセル
【請求項２】
請求項１の形状に基づきメディウスの環とネジの組合せを利用した構造を有する湯音、湯量が簡単に調節できる  ム現代リンクカプセル
【請求項３】
請求項１の形状と請求項２の構造を組合せ、２個のリングを１個のつまみでリンクのロックと解除により簡単にコントロールし、湯音、湯量が簡単に調節できる  ム現代リンクカプセル
(57)【要約】      （修正有）【課題】常に酸素の補給を受けなければならない人は酸素ボンベの持ち歩は難儀である。運搬車が従来は引き上げ型であったため、体重とボンベの荷重が足・腰に掛かかった。弱い体力の人にはエネルギーが少なくて持ち歩ける酸素ボンベ運搬車が必要である。【解決手段】車輪の付いた杖に酸素ボンベを乗て運べるようにしたら、体重とボンベの荷重を杖に持たせて歩けるので、身が軽くなり楽に、楽しく外出できるようになる。【選択図】図１
0003126964.tif 000002
【実用新案登録請求の範囲】
【請求項１】
前が杖本体Ｂ、後が支え棒Ｃで上部を軸着し、下部を広がるようにして、前後の両側に車輪をつけた、側面から見ると、底辺を有する三角形になり、三角形を縮めて折り畳むことが出来る四つの車輪を有する杖において、支え棒Ｃの下部に、酸素ボンベを乗せるために、酸素ボンベの横回りを囲み保持するための異径円をしたホルダー本体▲１▼を上下に数個、支え棒Ｃにホルダー締具▲２▼とビス▲５▼などで取り付け、及び下側に平板を階段状に曲げ、その水平面で酸素ボンベの底を支え、一方の立ち上がり面を支え棒Ｃに、ホルダー締具▲２▼とビス▲５▼などで取り付け、張り出した他端の下がり面の先端に車輪と平行に回転出来る小ローラー▲４▼を、折り畳んだ時に小ローラーが地面▲７▼に接地するように取り付けた酸素ボンベキャリヤ。
【考案の詳細な説明】
【考案の詳細な説明】
【技術分野】
【０００１】  本考案は車輪の付いた杖に付属品をつけて酸素ボンベを運べるようにしたものである。
【背景技術】
【０００２】  車輪の付いた杖で酸素ボンベを運べるようにしたものは見つからない。
【考案が解決しょうとする課題】
【０００３】  常に酸素の補給をしていなければならない人は外出するのは難儀である。プライドや見栄もある。常に自分の側にあらねばならぬ酸素ボンベが容易に運べもので、コンパクトで、持ってる姿がスマート、あまりめだたないものであれば、外出して自然とふれあいたい気持になるだろう。
【課題が解決するための手段】
【０００４】  当該出願の考案者土江が開発、製造、販売している三角形杖型四輪歩行補助車（商品名ローラーステッカー、図２，３）に携帯酸素ボンベが乗せられたらかなり問題が解決すると考えた。
【考案を実施するための最良の形態】
【０００５】  ローラーステッカーは図２、３で示した杖本体Ｂ、支え棒Ｃの三角形、四輪、折り畳みとハンドル操作の出来る杖である。この杖に酸素ボンベを乗せられる部品を取り付ける。【０００６】  主要部品は、酸素ボンベの横外周を囲んで保持する一部解放の異径円のホルダー本体▲１▼が２ケ、平板を階段状に曲げて中間水平部にボンベの底を乗せ、立ち上がり部を支え棒に固定し、他方下がり部の先端に車輪と平行に回転出来る小ローラー▲４▼を付けたホルダー棚▲３▼とそれらの取り付け具ホルダー締具▲２▼である。【０００７】  支え棒への取り付けは図３に示す折り畳んだ状態で小ローラー▲４▼が地面▲７▼に接地する位置で、ホルダー棚▲３▼の立ち上がり部の下側を支え棒Ｃに丸ビス▲５▼で固定し、立ち上がり上側はホルダー本体▲１▼で挟んでホルダー本体▲１▼と共に丸ビス▲５▼で固定し、その上部に他のホルダー▲１▼を支え棒に、ホルダー締具▲２▼を丸ビス▲５▼で締めて固定する。
【効果】
【０００９】  酸素の補助供給を常に受けていなければならない人は無理な運動は避けねばならない。従来の引き上げ型キャリャでは足・腰に体重とボンベの荷重が掛かる。ローラーステッカーの場合は体重と酸素ボンベの荷重を杖に掛けて歩けるので、身体を軽くなって歩けることになる。すると自然に動き回りたくなる。しかも使っている姿がスマートに見えるから生きがいが出てくる。社会に役立つと思う。
【図面の簡単な説明】
【図１】  各部品の位置と取り付け方の説明斜視図
【図２】  杖を使用時の酸素ボンベの位置及び全体の姿の側面図
【図３】  杖を折り畳んだ時の全体の姿の側面図
【符号の説明】
Ａ  酸素ボンベ
Ｂ  杖本体
Ｃ  支え棒
Ｄ  後車輪
Ｅ  後車輪
Ｆ  地面
１  ホルダー本体
１  ホルダー締具
３  ホルダー棚
４  小ローラー
５  丸ビス
６  間座
【図１】
0003126964.tif 000003
【図２】
0003126964.tif 000004
【図３】
0003126964.tif 000005
(57)【要約】【課題】一般に誰でも手軽に利用でき、しかも安全で確実に研ぐことができる刃物研ぎ具を提供する。【解決手段】薄い金属板１の上面に粉状又は顆粒状のダイヤモンド２を均一に固着し、金属板１の下面に所定厚さで板状の磁石３を接着したものである。【選択図】図３
0003126965.tif 000002
【実用新案登録請求の範囲】
【請求項１】
薄い金属板の上面に粉状又は顆粒状のダイヤモンドを均一に固着し、前記金属板の下面に所定厚さの板状の磁石を接着したことを特徴とする刃物研ぎ具。
【考案の詳細な説明】
【技術分野】
【０００１】  本考案は、薄い任意形状の金属板の上面にダイヤモンドの粉体又は顆粒体を固着し、前記金属板の下面に板状の磁石（永久磁石）を接着しもので、カンナ、ノミ、包丁等を研ぐ際に使用する研ぎ具であって、誰でも簡単に手軽に使用できる刃物研ぎ具に関するものである。
【背景技術】
【０００２】  従来、カンナ、ノミ、包丁やナイフ、鋏、工作用刃物等の研ぎ具は天然の石を利用したものが広く使用されていたが、近年、サンドペ−パ−や、グラインダ−を利用して機械的に行なう刃物研ぎ具が各種提供されるようになり、以下に述べる公報が先行文献として挙げられる。
【特許文献１】意匠登録１１９４２２９号公報
【特許文献１】意匠登録１２０９０３６号公報
【特許文献１】実願昭６０−１７８６６０号公報
【特許文献１】特開２００２−４６０７４号公報
【考案の開示】
【考案が解決しようとする課題】
【０００３】  しかし、現在広く利用されている刃物研ぎ具は古来使われている天然石のものに比較すると大幅に改良され、可なり使いやすいものに改良されてはいるが一般の人にとって手軽に安全に、しかも確実に研げる研ぎ具には更に改良を加えなければならなかった。
特に一般にカンナ、ノミ、包丁やナイフ、鋏等を研ぐ場合は何よりも安全が優先されなければならないが、使い易く安価に提供できることも重要な要件である。
本考案は一般に誰でも手軽に安全に利用することができる刃物研ぎ具を提供することを目的とする。
【課題を解決するための手段】
【０００４】  上記目的を達成するため本考案は、薄い金属板１の上面に粉状又は顆粒状のダイヤモンド２を均一に固着し、前記金属板１の下面に所定厚さの板状の磁石３を接着したものである。
【考案の効果】
【０００５】  上記のように構成された本考案には次のような効果がある。
ａ．金属板（鉄板）の上面にダイヤモンドの粉体又は顆粒体が均一に固着され、この金属板の下面に薄い板状の磁石が接着されているので、鉄材の存在する場所であれば本考案の刃物研ぎ具は簡単に設置できる。
例えば、木の板に刃物研ぎ具を固定しようとする場合、板の面に鉄製の画鋲複数本必要な範囲に刺しておき、その上に刃物研ぎ具を置くと磁石の磁力によって研ぎ具は固定されるので安定した状態で刃物を研ぐことができる。
ｂ．上面にダイヤモンドの粉体又は顆粒体を固着した金属板は下部に接着された磁石から容易に分離することができるので、磨耗して使用不能になった場合、簡単に新しい金属板と取り替えることができ、取り替えることによって新しい研ぎ具に再生される。
ｃ．製造工程が少なく、簡単な構造からなっているので大量に製造できるので安価に提供できる。
【考案を実施するための最良の形態】
【０００６】  以下、本考案の実施の形態を図面に基づいて説明する。【０００７】  図１は本考案の側面図、図２は図１におけるＡ−Ａ’断面図、図３は金属板と磁石を分離した状態の斜視図、図４は本考案の使用状態の一例を示した図で、Ａは研ぎ具全体を示し、Ｂは鉄材を示す。【０００８】  １は任意の大きさ形状（図面では方形状）の厚さ１ｍｍ〜１，５ｍｍ金属板であるが、下部に板状の磁石（フィライト）を取り付ける関係上、接着剤を使わずに接着できるように通常は鉄板を使用する。
鉄以外の金属板を使用する場合は接着剤を介して板状の磁石３を接着する。【０００９】  ２は前記金属板の上面に固着されたダイヤモンドで、ダイヤモンドは細かく粉砕したものが金属板１の上面に均一に固着されている。
尚、ダイヤモンドは微粉体、粉体、顆粒体等に分けてそれぞれ金属板に固着することによって異なった研ぎ具を構成し、粗研ぎ、仕上げ研ぎ等、研ぐ目的によって利用できるようにしておくことによって、磁石で接着されている金属板１を交換するだけで目的にしたがって選択使用できる。【００１０】  磁石３はフェライト磁石であるが、焼結磁石は硬質なので薄板状に成形すると折れ易く、又必要な形状に裁断することが不可能なため、本考案では可撓性磁石を利用している。
可撓性磁石は湾曲状に自在に折り曲げられ、鋏、カッタ−で容易に切断できるので各方面で利用されているが、主原料に合成樹脂等を混合して作られるので焼結磁石に比べて磁力は落ちるが、本考案の刃物研ぎ具Ａには最適の材料である。【００１１】  上記のように構成された本考案を実際に使用する場合は次のようになる。
上面にダイヤモンド２を均一に固着させた金属板１の下部に可撓性の磁石板３を吸着させた研ぎ具Ａを図４に示したように鉄材Ｂの上に接着させて固定する。
このように固定させた後、ダイヤモンドの面に刃物の刃の角度を合わせ、刃物を前後に摺動させて研ぐ。
尚、刃物を研ぐ場合、図４に示したように刃物研ぎ補助具をＣを利用し、この補助具Ｃの板磁石ａに刃物を吸着させ、刃の角度を設定した状態で補助具Ｃを前後に摺動させることによって確実に刃を研ぐことができる。
磁石３は金属板１の底面と同一形状に形成する必要はなく、金属板１が動いたり、撓んだりしない程度の形状、大きさであれば研ぎ具として支障なく使用できる。
本考案の刃物研ぎ具を木材等の磁気を感じない物に取り付ける場合は、鉄製の画鋲等を木材（板）の表面に複数個取り付ければ、研ぎ具は作業に支障のないように固定される。
【図面の簡単な説明】
【００１２】
【図１】本考案の側面図
【図２】図１に於けるＩＩ−ＩＩ断面図
【図３】金属板と磁石を分離した本考案の斜視図
【図４】本考案の使用状態を示した図
【符号の説明】
【００１３】      １  金属板
２  ダイヤモンド
３  磁石
４
Ａ  刃物研ぎ具
Ｂ  鉄材
Ｃ  補助具
ａ  板磁石
【図１】
0003126965.tif 000003
【図２】
0003126965.tif 000004
【図３】
0003126965.tif 000005
【図４】
0003126965.tif 000006
(57)【要約】【課題】  幅調節可能なノートパソコン用直立保持スタンドを提供する。【解決手段】  ノートパソコンを保持するスタンドを二体に分割し、それぞれの保持腕部と脚部と接続板部を押し出しアルミ材又は板金曲げ材などで一体に形成し、２枚の接続材を用いて接続板部を幅調節可能に圧接固定させる方法により課題を解決する。【選択図】図２
0003126963.tif 000002
【実用新案登録請求の範囲】
【請求項１】
ノートパソコンを保持する腕部と脚部と接続板部より構成されるＬ型形状のスタンド部材２体を使用し、それぞれの接続板部を接続材で幅調節可能に圧接固定した事を特徴とするノートパソコン用直立保持スタンド。
【請求項２】
請求項１に於いて、接続板部及び接続材それぞれに咬合面を配置したことを特徴とする幅調節可能なノートパソコン用直立保持スタンド。
【考案の詳細な説明】
【技術分野】
【０００１】  本考案は、ノートパソコンを直立保持させるスタンドに関する物である。
【背景技術】
【０００２】  従来の技術思想では、ノートパソコンを直立させ保持する場合、スタンドの保持腕部の幅を機種ごとに異なるノートパソコンの厚さに合わせる為にスペーサーを挟み込むことで調節するか、長円に沿って保持腕部を移動することで調節を行うことが一般的であった。スペーサーを用いる場合、微調節するために数種類の厚さのスペーサーが必要とされる。また、長円に沿って保持腕部を移動する場合固定の確実性に欠ける欠点があった。
【考案の開示】
【考案が解決しようとする課題】
【０００３】  本考案はノートパソコンを直立保持するスタンドの保持腕部の間隔を、自在に調節可能とし、又確実に固定できる機構を持ったスタンドを提供する事を目的とする。
【課題を解決するための手段】
【０００４】  本考案ではスタンドを二体に分割し、それぞれの保持腕部と脚部と接続板部を押し出しアルミ材又は板金曲げ材などで一体に形成し、２枚の接続材を用いて接続板部を幅調節可能に圧接固定させる方法により課題を解決する。
【考案の効果】
【０００５】  上記のように本考案のノートパソコン用直立保持スタンドは、ノートパソコンの厚さに合わせて保持腕部の幅を容易に調節し、確実にノートパソコンを直立保持する事が出来る。該スタンドはノートパソコンを外部モニターに接続し、閉じた状態で使用する場合に設置面積を最小限にすることが可能であり、ノートパソコンの放熱にも効果が得られる。
【考案を実施するための最良の形態】
【０００６】  押し出しアルミ材により成形された保持腕部、脚部、接続部からなるＬ型形状のスタンド部材２体を対向して配置し、ノートパソコン本体を直立させた状態で保持腕部で挟み込み固定する。ノートパソコンの厚さに対するスタンドの保持腕部の差込幅の調節は、接続部の圧接固定位置を替えることで対応する。
【実施例】
【０００７】  以下、添付図面に基づいて実施例を説明する。
図１は本考案のノートパソコン用直立保持スタンドの断面図である。押し出しアルミ材により成形されたスタンド部材１はノートパソコン本体を直立状態で支える保持腕部１ａ、脚部１ｂ、接続部１ｃで構成される。また保持腕部１ａ両端部にはサイドキャップ５を設け、アルミ材両端部の保護化粧と同時にノートパソコン本体への傷付き防止を兼ねている。左右のスタンド部材１は接続部１ｃを接続材上２と接続材下３で挟み、ネジ４で締め付ける事により圧接固定する。接続部１ｃ下面には細かい凹凸が設けられ、接続材下３の上面に設けられた対応する細かい凹凸と咬み合うことで左右のスタンド部材が緩む事を防ぐ。【０００８】  図２はノートパソコン本体の幅に合わせてスタンド部材１を配置し固定した、使用状態の断面図である。【０００９】  図３はノートパソコン用直立保持スタンドの俯瞰図である。【００１０】  図４はノートパソコン６を直立に保持した使用状態の、該スタンドとの位置関係の俯瞰図である。【００１１】  図５はノートパソコン用直立保持スタンドの全構成部品の俯瞰図である。接続サイドキャップ７は接続材両端部の保護化粧と同時にノートパソコン本体への傷付き防止を兼ねている。
【図面の簡単な説明】
【００１２】
【図１】スタンドの断面図である。
【図２】使用状態の断面図である。
【図３】スタンドの俯瞰図である。
【図４】位置関係の俯瞰図である。
【図５】スタンドの全構成部品の俯瞰図である。
【符号の説明】
【００１３】  １スタンド部材
２接続材上
３接続材下
６ノートパソコン
【図１】
0003126963.tif 000003
【図２】
0003126963.tif 000004
【図３】
0003126963.tif 000005
【図４】
0003126963.tif 000006
【図５】
0003126963.tif 000007
(57)【要約】【課題】本考案の課題は、緊急時にその場で即時に服用しなければならないとされているピルを、患者自身が常時肌身に離さぬように携帯し、急迫の用に供することのできるピルケースを得ることにある。【解決手段】外周面を滑り難くするとともにピルが内に収納される有底空所を設けた本体と、前記有底空所の開口部を閉鎖するキャップとから成り、該キャップに常時肌身から離さぬように構成した携行部を取り付けた。【選択図】図１
0003126962.tif 000002
【実用新案登録請求の範囲】
【請求項１】
外周面を滑り難くするとともにピルが内に収納される有底空所を設けた本体と、前記有底空所の開口部を閉鎖するキャップとからなり、該キャップに常時肌身から離さぬように構成した携行部を取り付けたことを特徴とする携帯用ピルケース。
【請求項２】
有底空所の開口部に雄ネジを設け、キャップには前記雄ネジに螺合する雌ネジを設けたことを特徴とする請求項１に記載の携帯用ピルケース。
【請求項３】
本体を約２．５回回転させるだけで締め付けまたは取り外しができるように、本体の雄ネジとキャップの雌ネジのネジ数を定めたことを特徴とする請求項２に記載の携帯用ピルケース。
【請求項４】
本体および／またはキャップを、ステンレス材または透明もしくは半透明の素材で構成したことを特徴とする請求項１、請求項２または請求項３に記載の携帯用ピルケース。
【請求項５】
有底空所をピルが包装したまま入り、かつ医師が緊急時に一度に服薬するよう指示した数量が入るだけの内容量にしたことを特徴とする請求項１、請求項２、請求項３または請求項４に記載の携帯用ピルケース。
【請求項６】
キャップに取り付け部を設け、取り付け部に穴をあけ、その穴にリングを介し、または介さずに紐またはチェーン等を通して、常時肌身から離さぬように構成された携行部としたことを特徴とする請求項１、請求項２、請求項３、請求項４又は請求項５に記載の携帯用ピルケース。
【考案の詳細な説明】
【技術分野】
【０００１】緊急時に服薬するピルを収納するケース。
【背景技術】
【０００２】常時肌身から離さずに携行するピルケースはなかった。
【考案の開示】
【考案が解決しようとする課題】
【０００３】本考案の課題は、緊急時にその場で即時に服用しなければならないとされているピルを、患者自身が常時肌身にはなさぬように携帯し、急迫の用に供する事のできるピルケースを得ることにある。
【課題を解決するための手段】
【０００４】外周面を滑り難くとともにピルが内に収納される有底空所を設けた本体と、前記有底空所の開口部を閉鎖するキャップとから成り、該キャップに常時肌身から離さぬように構成した携行部を取り付けた。【０００５】有底空所の開口部に雄ネジを設け、キャップには前記雄ネジに螺合する雌ネジを設けた。【０００６】本体を約２．５回回転させるだけで締め付けまたは取り外しができるように、本体の雄ネジとキャップの雌ネジのネジ数を定めた。【０００７】本体および／またはキャップを、ステンレス材または透明もしくは半透明の素材で構成した。【０００８】有底空所をピルが包装したまま入り、かつ医師が緊急時に一度に服用するよう指示した数量が入るだけの容量にした。【０００９】キャップに取り付け部を設け、取り付け部に穴をあけ、その穴にリングを介しまたは介さずに紐またはチェーン等を通して、常時肌身から離さぬように構成された携行部とした。
【考案の効果】
【００１０】あまり力を入れずに開閉出来る事と緊急時にピルケースが手から滑り落ちない様に本体の外周面を滑り難くした。【００１１】医師の指示などにより、緊急時に服薬しなければならない人が多数いる事により、それらの人達にお洒落にかつ常時肌身離さず付けておく必要があると考えられる。【００１２】有底空所の開口部を雄ネジにしたのは、包装したまま収納する為、雌ネジにすると包装部分が引っかかってしまい取り出しづらくなる為、外側にネジを設けた。【００１３】２．５回転以下だと勝手に外れてしまい紛失してしまう恐れがある
２．５回転以上だと服用時、急を要する時に時間がかかってしまう。【００１４】材質をステンレス材にしたのは、錆ない材質であり、日光がピルに直接当たらないまたは、ある程度重さのある方が持っている安心感、携帯忘れを防ぐ為。
透明または半透明の素材にすると、内容物が確認し易くなる。【００１５】薬によっては成分が壊れたり効き目が薄れてしまう為、包装したまま収納した方が良いと思われる。
また、薬によっては緊急時に服用するとき、所定量が不足してもいけないし、多すぎてもいけない場合がある。【００１６】例えば、心筋梗塞、狭心症、心臓病を患った人が服用している『ニトロペン錠』に関しては、薬を包装から取り出すと薬効が弱まる為、包装から取り出さず２個収納出来る。
尚、有底空所の開口部より包装部分が少しはみ出るようにすれば、取り出し易くなる。【００１７】リングを介した場合、紐、又はチェーンが通しやすい、そして、紐またはチェーン等により、常時首から吊下げておける。
【考案を実施するための最良の形態】
【００１８】外周面を滑り難くするとともにピルが内に収納される有底空所を設けた本体と、前記有底空所の開口部を閉鎖するキャップとから成り、該キャップに常時肌身から離さぬように構成した携行部を取り付けたことを特徴とする携帯用ピルケース。
【実施例】
【００１９】図１の８の様に角をつけても良い、図示を省略したが、凸凹、ローレットなどの滑り止め加工、又は滑り止めテープなどを貼り付けても良い。
本体は円筒形や箱型等にすることができる。
携行部としては、首や腰まわりなどに常時つけておけるように構成する。【００２０】ピルをニトロペン錠にした場合の寸法の最も好ましい寸法は次のとおりである。
図２の本体１の高さは１７．５ｍｍその開口部は１１ｍｍ深さ１５．５ｍｍ開口部の外側の雄ネジを設ける【００２１】図３の本体２の高さは７ｍｍ開口部は１１ｍｍ深さ５．５ｍｍ
本体２にはチェーンまたは紐を通す部位を設け４ｍｍ４．５ｍｍ図４のリングを通す穴２ｍｍを設ける。【００２２】図４のリングは１ｍｍ円形、楕円、台形にできる。【００２３】図１の全体図は高さ２１ｍｍ外径１４ｍｍとする。
【図面の簡単な説明】
【００２４】
【図１】  本考案の一実施例を示す側面図。
【図２】  本考案の一実施例における本体の側面図。
【図３】  本考案の一実施例におけるキャップの側面図。
【図４】  本考案の一実施例におけるリングの側面図。
【符号の説明】
【００２５】  １    本体
２    本体の開口部の雄ネジ
３    キャップの雌ネジ
４    取り付け部の穴
５    リング
６    キャップ
７    取り付け部
８    滑り難くした角
【図１】
0003126962.tif 000003
【図２】
0003126962.tif 000004
【図３】
0003126962.tif 000005
【図４】
0003126962.tif 000006
(57)【要約】【課題】三味線を起立して演奏したい場合、三味線本体を吊り上げるため、本体に穴をあけ、吊り下げ用の固定金具を取り付けるなど、三味線本体に加工を行わなければらないという問題点があった。【解決手段】三味線の下棹と中木との間を皮製のベルトと革ヒモで結び、ギター用のエンドピンを取り付け、ここにギター用の吊り下げストラップを接続することによって、三味線を肩に掛け、起立して演奏することを可能にし、三味線本体への加工を余儀なくされていた現状の問題点の解決手段とした。【選択図】図２
0003126969.tif 000002
【実用新案登録請求の範囲】
【請求項１】
三味線の棹と中木の間を皮製のベルトと革ヒモで結び、ギター用のエンドピンを取り付け、ここにギター用の吊り下げストラップを接続ることにより、三味線本体に加工することなく三味線を肩に掛けて、起立して演奏することを可能にした三味線専用の吊り下げストラップ。
【考案の詳細な説明】
【考案の開示】
【考案が解決しようとする課題】
【０００１】三味線を起立して演奏したい場合、三味線本体を吊り上げるため、本体に穴をあけ、吊り下げ用の固定金具を取り付けるなど、三味線本体に加工を行わなければらないという問題点があった。
【課題を解決するための手段】
【０００２】三味線の下棹と中木との間を皮製のベルトと革ヒモで結び、ギター用のエンドピンを取り付け、ここにギター用の吊り下げストラップを接続することによって、三味線を肩に掛け、起立して演奏することを可能にし、三味線本体への加工を余儀なくされていた現状の問題点の解決手段とした。
【考案の効果】
【０００３】三味線本体に加工することなく、三味線を起立して演奏することを可能にする。
【図面の簡単な説明】
【０００４】三味線専用の吊り下げストラップと取り付け後のイメージ図の両面から製品を解説する。
【図１】  三味線専用の吊り下げストラップの構造図である。
【図２】  取り付け後の図である。
【符号の説明】
【０００５】１  ギター用エンドピン
２  三味線の下棹
３  三味線の中木
４  三味線本体
５  ギター用の吊り下げストラップ
【図１】
0003126969.tif 000003
【図２】
0003126969.tif 000004
(57)【要約】【課題】ファッションの流行や日本の四季に対応するには一個の帽子では対応しにくい。特に初夏から盛夏に掛けては庇の長い帽子が必要で、又、その他の季節は庇の長い帽子は必要では無い。この問題を解決する為にこの帽子を提案する【解決手段】帽子の庇に新たに庇をボタン等で取り付ける事によって庇を長くする事が出来る。又、新たに付けた庇を取り外すことによって元の帽子にもどる。これにより問題が解決される【選択図】図１
0003126928.tif 000002
【実用新案登録請求の範囲】
【請求項１】
帽子の庇を有する物に、庇の表側裏側を問わず、別の延長用庇を部材によって取り付け取り外し可能な構造とした帽子
【請求項２】
帽子の庇に別の庇をつける方法は、ボタンの他取り付け取り外しが出来る部材を使用した帽子
【考案の詳細な説明】
【技術分野】
【０００１】本考案は１個の帽子で用途が多様化出来る
【背景技術】
【０００２】従来はこのような発想は無く、用途別に製造又は販売されている
【考案の開示】
【考案が解決しようとする課題】
【０００３】年間を通じてかぶれる帽子
【課題を解決する為の手段】
【０００４】帽子の庇を有する物に、庇の表側裏側を問わず、別の延長用庇を部材によって取り付け取り外し可能な構造とした帽子
帽子の庇に別の庇をつける方法は、ボタンの他取り付け取り外しが出来る部材を使用した帽子
帽子の庇に新たに庇を継ぎたすことによって夏の暑さにも対応でき、又外すことによって夏以外の季節にも対応できる
【考案の効果】
【０００５】この製品によって多様に楽しめる
【考案を実施する為の最良の形態】
【０００６】元の帽子に新たに取り付けた形態
【実施例】
【産業上の利用可能性】
【０００７】作業用帽子でも活用できる
【図面の簡単な説明】
【０００８】
【図１】帽子の庇部分に新たに庇を継ぎ足した横面図である
【図２】帽子の継ぎ足した庇を外した横面図である
【符号の説明】
【０００９】１  元になる帽子の頭部分
２  元になる帽子の庇部分
３  新たに継ぎ足し出来る庇部分
【図１】
0003126928.tif 000003
【図２】
0003126928.tif 000004
【手続補正書】
【提出日】平成18年8月17日(2006.8.17)
【手続補正１】
【補正対象書類名】実用新案登録請求の範囲
【補正対象項目名】全文
【補正方法】変更
【補正の内容】
【実用新案登録請求の範囲】
【請求項１】
庇を有する帽子の当該庇に延長用庇が取り外し可能に取り付けられたことを特徴とする帽子
【請求項２】
前記、延長用庇はボタンの他、取り付け取り外しが出来る部材により、取り外し可能に取り付けられたことを特徴とする請求項１記載の帽子
(57)【要約】【課題】  書類や書籍などのマーキングに際し、貼り・はがし自在のテープ式ラインマーカーを提供する。【解決手段】  着色透明フィルム（１）の片面に貼り・はがし自在の粘着剤（２）を用いる。【選択図】  図１
0003126930.tif 000002
【実用新案登録請求の範囲】
【請求項１】
糊面に貼り・はがし自在の粘着剤を用いた、着脱自在のテープ式ラインマーカー
【考案の詳細な説明】
【技術分野】
【０００１】
本考案は、書籍や書類等に記載された、特定の文字や記号、あるいは文字列をマークするために用いる、貼り・はがし自在のテープ式ラインマーカーに関するものである。
【背景技術】
【０００２】
従来より書類や書籍などにマーキングする際に使用されているラインマーカーペンは、一度マーキングしてしまうと消すことができないため、別の視点でマーキングしたときに以前のマーキングが邪魔になるということ、あるいは他者から借りたものにはマーキングすることができないという欠点があった。
【０００３】
この改善策として、消すことのできるものや、時間の経過により自然に消えるものが考えられたが、いずれも、経時や紙質により色や染みが残ったり、紙の表面が傷むなどの欠点があった。
また、書き込むという行為そのものに抵抗があり、マーキングができないという問題もあった。
【考案の開示】
【考案が解決しようとする課題】
【０００４】
イ．ラインマーカーペンは、一度マーキングしてしまうと消すことができない。
ロ．消去可能なラインマーカーペンは、経時や紙質により色や染みが残ることがあった。
ハ．水分を含むことにより、あるいは、こすることにより、紙の表面が傷むことがあった。
ニ．書き込むという行為そのものに抵抗があり、マーキングができないことがあった。
本考案は、これらの欠点を解決するためになされたものである。
【課題を解決するための手段】
【０００５】
本考案は、透明な着色粘着テープの糊面にポストイット（登録商標）のような貼り・剥がし自在の接着剤を使用することを最も主要な特徴とする。
【考案の効果】
【０００６】
本考案を使用することによって、マークを除去することが可能になるので、別の視点からマークをしたときに、以前のマークが残っているために重要箇所がわかりにくいという問題点を解決する。また、自然に消えてしまうことがなく、長期間貼っておいても剥がれなくなることもないため、自分の意図した時にマークを除去することが可能になる。しかも、紙面を傷めることがなく、剥がしたあとは貼る前の状態に戻るため、借りた本などにも使用することができる。
【考案を実施するための最良の形態】
【０００７】
以下、本考案の実施の形態を説明する。
本考案は、着色透明粘着テープの糊面に貼り・はがし自在の粘着剤を用いることにより構成されている。
本考案を文字や文字列、記号など、マークしたい箇所に、一般的な粘着テープを貼り付ける要領で使用することにより、ラインマーカーペンと同様の効果が得られる（図２）。
誤って貼り付けたり、マークが不要になったときには、テープを剥がすことにより、紙面をテープを貼る前の状態に戻すことができる（図３）。
【実施例１】
【０００８】
図２は、本考案の実施例であり、本考案を一般的な粘着テープを貼り付ける要領で文字列の上に貼り付けた状態を示している。
【実施例２】
【０００９】
図３は、本考案の実施例であり、図２の状態から本考案をはがす過程を示したものである。
【図面の簡単な説明】
【００１０】
【図１】テープ式ラインマーカーの構造を示した説明図である。
【図２】テープ式ラインマーカーの使用方法を示した説明図である。（実施例１）
【図３】テープ式ラインマーカーの使用方法を示した説明図である。（実施例２）
【符号の説明】
【００１１】
１    着色透明フィルム
２    貼り・はがし自在の粘着剤
【図１】
0003126930.tif 000003
【図２】
0003126930.tif 000004
【図３】
0003126930.tif 000005
【手続補正書】
【提出日】平成18年9月1日(2006.9.1)
【手続補正１】
【補正対象書類名】実用新案登録請求の範囲
【補正対象項目名】全文
【補正方法】変更
【補正の内容】
【実用新案登録請求の範囲】
【請求項１】
着色透明粘着テープの糊面に貼り・はがし自在の粘着剤を用いた、着脱自在のテープ式ラインマーカー
(57)【要約】      （修正有）【課題】木材のずれをなくし、上下、内面がよく見えビス締め作業が素早く出来るようにする。【解決手段】工具が小型で締め付け力が強く扱いやすくした。【選択図】図２
0003126927.tif 000002
【実用新案登録請求の範囲】
【請求項１】
木材等の出隅を仮締め付けする為に考案した工具
【請求項２】
この工具は主に大工仕事に使用する為、手軽く敏速に作業が出来るよう考案した工具である
【請求項３】
木材等を斜め切り（トメ切り）した部分を合わせ、固定しビス留めを完了するまでの仮締めする為に考案した工具
【考案の詳細な説明】
【技術分野】
【０００１】木材等の角をビス締めする際にずれ、段差をなくし素早い作業をする為に考案した大工造作用工具
【背景技術】従来は上下で立て締め付け器で作業していたので斜め切り部分を押さえる為に化粧面に生ずる段差が見えにくいという問題点があった。
【課題を解決する為の手段】
【０００２】工具が手軽で敏速な作業が出来るようにした
【考案の効果】
【０００３】素早い締め付けと、段差の修正が容易に出来、作業能率が向上した工具の締め付け力が強く、かつ小さいのでビス締めが容易になった
【図面の簡単な説明】
【・・・・】
【図１】
先曲がりコンパスに固定金具締め付けボルト、ナットを合せ締め開きをさせる工具の平面図である
【図２】
考案した工具の、木材の締め付け要領を表す図である
【符号の説明】
１  金属用先曲がりコンパス
２  固定金具
３  ナット部
４  収縮用ボルト
５  回転用レバー
６  スプリング
【図１】
0003126927.tif 000003
【図２】
0003126927.tif 000004
【手続補正書】
【提出日】平成18年8月22日(2006.8.22)
【手続補正１】
【補正対象書類名】実用新案登録請求の範囲
【補正対象項目名】全文
【補正方法】変更
【補正の内容】
【実用新案登録請求の範囲】
【請求項１】
両方のツメ先を内側へ曲げた金属用コンパスを、コンパス横にガイドを介して取り付けた締め付けボルトにより二股のなす角度を狭めていくことで、固定しようとする斜め切り加工された木材等の接合部を挟み、締め付けて固定する、木材等出隅仮締め付け工具
(57)【要約】【課題】通常のレンズより厚みのある強度用レンズに対応したナイロール溝を使用することで、強度用レンズ利用者のメガネ枠形状選択の幅を広げることを可能とする。【解決手段】強度用レンズを溝線に保持するためのクッション材として、メンテナンス性及び耐久性に優れたダルマ糸クッションを固定するスロットを、溝線断面中心からオフセットして成型したナイロール溝を使用した。【選択図】図３
0003126934.tif 000002
【実用新案登録請求の範囲】
【請求項１】
メガネ枠のナイロール形状の溝線に関して、レンズを溝線に固定する際の緩衝材となる断面形状がアラビア数字８字形状のダルマ糸クッションを嵌めこむ為の、開放部分を持つ円状の断面形状スロットを有する溝線断面形状に対し、スロット位置が溝線の中心位置からオフセットされ、強度レンズに対応した溝線形状であって、ニッケル系合金あるいはチタン、またはチタン合金を素材とする溝線を使用する、強度レンズ対応ナイロール形状メガネ枠。
【考案の詳細な説明】
【技術分野】
【０００１】  本考案は、強度レンズに対応した溝線を持つナイロール形状メガネ枠に関するものである。
【背景技術】
【０００２】  メガネ枠において、レンズの上若しくは下半分を溝線により保持し、残りの下半分若しくは上半分を樹脂糸、若しくは金属ワイヤー等で固定する形状の一般にナイロール形状と呼ばれるメガネ枠は、レンズの全周を溝線で囲むフルリム形状のメガネ枠と比較して、軽量で素顔に近い印象を与え、ツーポイント形状メガネ枠と比較した場合、枠自体の剛性が高く、溝線によりレンズ端面を保護することができる。【０００３】  溝線に対しレンズを固定する為の機能として、溝線には開放部分を持つ円状の断面形状のスロットを配し、レンズ端面には凹形状のスロットを設け、この両者を結合する為に、アラビア数字８字形状の断面を持つダルマ糸クッションを両者に嵌め込む事で、溝線にレンズを固定する。【０００４】  通常ナイロール形状の溝線の断面形状は、プレスおよび切削成型加工上の制限から、アラビア数字８字形状の断面を持つダルマ糸クッションを通す為に、開放部分を持つ円形状の断面形状のスロットを、溝線の断面幅方向に対し中央部分に設定する。【０００５】  強度レンズを使用せざるを得ない眼鏡使用者の場合、そのレンズ自体の厚みから、通常のナイロール溝を使用した場合、レンズの厚み自体が溝線から後方に大きく張り出し、溝線によるレンズ保持や保護の機能が充分に得られなかった為、フルリム若しくはツーポイント形状のフレームを選択せざるを得なかった。【０００６】  溝線に使用するクッション材を、アラビア数字８字形状の断面を持つ、従来のダルマ糸クッションから、アルファベットのＴ字形状の断面を持つＴ字糸クッションに変更した場合、ナイロール溝線の成型後にＴ字糸クッションを嵌め込む凹型の溝形状は、その断面形状を方形に成型する必要がある。【０００７】  Ｔ字糸クッションを嵌め込むスロットの成型に関しては、プレス成型で行った場合スロット断面が完全に方形にならず、台形若しくはテーパ形状になる為、Ｔ字糸クッションを保持する事が出来なくなり、刃具による切削加工により成型する事で、溝線幅方向中心からスロットをオフセットして設定することが可能となり容易にナイロール溝線形状を得ることができる。【０００８】  しかし、Ｔ字糸クッション材形状では、断面Ｔ字上端横棒部分厚みの摩擦によって溝線に係止されるものであり、レンズ脱着の際等外力が加わった場合には、容易にクッション材が落下する可能性がある。その為、クッション材自体をナイロール溝線に接着等による固定が必要であり、溝線のレンズカーブに沿わせて固定した場合、レンズ脱着に際して、Ｔ字糸クッション自体の変形、若しくはつぶれ、または固定する為の接着剤のはみ出しや、経年変化による劣化によるレンズ固定機能の低下という問題があり、従来のダルマ糸クッションに対し、レンズを固定するクッション材としての機能は劣る。
【考案の開示】
【考案が解決しようとする課題】
【０００９】  解決しようとする問題点は、クッション糸としてのダルマ糸を保持するスロットが溝線中心部にある形状のナイロール溝では、メガネ枠のパーツとして、強度用レンズを充分に保持及び保護できない点である。
【課題を解決するための手段】
【００１０】  本考案は、クッション糸を保持するスロットを、溝線断面形状中心部からオフセットして成型した溝線を使用することで、強度用レンズに対応できることを最も主要な特徴とする。
【考案の効果】
【００１１】  強度用レンズの利用者がより多くのデザインの中からメガネ枠を選択することが可能になる。
【考案を実施するための最良の形態】
【００１２】  従来と同じメンテナンス性及び耐久性を持つクッション材を使用した形状の、ナイロール形状の溝を使用したメガネ枠の提供が実現した。
【実施例１】
【００１３】  図１は、本形状ナイロール溝を利用したメガネ枠の実施例である。【００１４】  図２は、メガネ枠に組み込まれた構成の、実施例の断面図である。
【図面の簡単な説明】
【００１５】
【図１】第一実施例メガネ枠形状に組み込まれた正面図である。
【図２】第一実施例メガネ枠形状に組み込まれた側面図である。
【図３】第一実施例メガネ枠への各パーツ関係図を示した断面図である。
【符号の説明】
【００１６】  １    強度用レンズ対応ナイロール溝
２    強度用レンズ
３    ダルマ糸クッション材
【図１】
0003126934.tif 000003
【図２】
0003126934.tif 000004
【図３】
0003126934.tif 000005
(57)【要約】【課題】  口腔内の衛生保持と口臭防止等のためには舌の垢取りを行う舌磨きが有効であるが、専用の器具を使用することなく容易に舌磨きを行えるようにする。【解決手段】  この考案は、歯ブラシの柄に舌垢取り用の溝を施して歯ブラシと一体化することで、歯磨きのついでに舌磨きが行えるようにし、専用の器具を使用することなく舌磨き習慣の促進が図れるようにした。【選択図】図１
0003126953.tif 000002
【実用新案登録請求の範囲】
【請求項１】
舌垢を掻き取るための溝加工を施しかつ薄型加工および柔軟性に富む素材を用いることで弾力性を持たせた部分（３）を歯ブラシの柄の部分（２）の先端部分に設けた歯ブラシ
【考案の詳細な説明】
【技術分野】
【０００１】  この考案は、口腔内の衛生を保ち口臭防止等のため、柄の部分に舌磨き用の溝を施した歯ブラシに関するものである。
【背景技術】
【０００２】  従来、舌磨きは、専用の舌磨き用器具を使用して行っていた。
【考案の開示】
【考案が解決しようとする課題】
【０００３】  口腔内を清潔に保ちさらに口臭防止等のためには、舌表面の垢を取る舌磨きが有効であるが、そのためには専用の舌磨き器具を利用しなければならず、歯磨きの習慣ほど一般的ではなかった。従って、歯ブラシと一体化することで専用器具を使用することなく、容易に舌磨きが行える。
【課題を解決するための手段】
【０００４】  歯ブラシの柄に舌垢取り用の溝加工を施し、歯ブラシと舌磨き用器具とを一体化することで、歯磨きのついでに舌磨きが容易に行えるようにした。
【考案の効果】
【０００５】本考案により、歯ブラシと別に専用器具を用いることなく、本考案のみで歯磨きと舌磨きを行えるようになるため、利便性が向上し、舌磨き習慣の定着化を図ることができる。
【考案を実施するための最良の形態】
【０００６】図１の様に従来の歯ブラシの柄の反対側先端部分に舌垢取り用の溝加工を施し、溝加工部分を舌表面に当て前後に動かすことで、舌垢の除去を行う。
【図面の簡単な説明】
【０００７】
【図１】本考案の「舌垢取り用溝付歯ブラシ」の横面図である。
【図２】本考案の「舌垢取り用溝付歯ブラシ」の平面図である。
【符号の説明】
【０００８】１  歯みがきブラシ部
２  歯ブラシ柄部
３  舌垢取り用溝部
【図１】
0003126953.tif 000003
【図２】
0003126953.tif 000004